(57)【要約】【課題】ディスプレイ装置の表示能力を最大限に生かしつつ、記録される情報量を削減する。【解決手段】記録再生装置１は、受信部１１と、コンテンツ情報を取得するコンテンツ情報取得部１２と、ディスプレイ装置２の性能情報を取得する性能情報取得部１３と、録画履歴情報取得部１４と、録画情報を記録する際の解像度、色深度、フレームレート、及びビットレートを決定する各パラメータを設定するパラメータ設定部１５と、符号化部１６と、記録部１７とを備える。パラメータ設定部１５は、コンテンツ情報と性能情報とを比較し、ディスプレイ装置２の表示能力を超えないようにパラメータを設定すると共に、コンテンツ情報と録画履歴情報とを比較し、今回録画しようとする録画情報と同一の番組が過去に録画されている場合には、パラメータを当該過去の録画時と同様に設定する。【選択図】図１
2013106055.tif 000002
【特許請求の範囲】
【請求項１】
録画対象となる録画情報を受信する受信手段と、
前記録画情報の画質を決定する情報及び番組を特定する情報を含むコンテンツ情報を取得するコンテンツ情報取得手段と、
ディスプレイ装置の表示能力を示す性能情報を取得する性能情報取得手段と、
過去の録画処理に関する録画履歴情報を取得する録画履歴情報取得手段と、
前記録画情報を記録する際の解像度、色深度、フレームレート、及びビットレートを決定する各パラメータを設定するパラメータ設定手段と、
前記パラメータに基づいて前記録画情報を符号化する符号化手段と、
前記符号化された情報を記録する記録手段と、
を備え、
前記パラメータ設定手段は、
前記コンテンツ情報と前記性能情報とを比較し、前記ディスプレイ装置の表示能力を超えないように前記パラメータを設定すると共に、
前記コンテンツ情報と前記録画履歴情報とを比較し、今回録画しようとする前記録画情報と同一の番組が過去に録画されている場合には、前記パラメータを当該過去の録画時と同様に設定する、
記録再生装置。
【請求項２】
前記性能情報には、前記ディスプレイ装置の応答速度が含まれ、
前記パラメータ設定手段は、前記応答速度が速い程前記フレームレートが大きくなるように設定する、
請求項１に記載の記録再生装置。
【請求項３】
前記性能情報には、前記ディスプレイ装置の画面サイズが含まれ、
前記パラメータ設定手段は、前記画面サイズが大きい程ビットレートが大きくなるように設定する、
請求項１又は２に記載の記録再生装置。
【請求項４】
前記コンテンツ情報には、前記番組のジャンルが含まれ、
前記パラメータ設定手段は、前記ジャンルに応じて前記パラメータを最適化する、
請求項１〜３のいずれか１項に記載の記録再生装置。
【請求項５】
録画対象となる録画情報を受信する受信ステップと、
前記録画情報の画質を決定する情報及び番組を特定する情報を含むコンテンツ情報を取得するコンテンツ情報取得ステップと、
ディスプレイ装置の表示能力を示す性能情報を取得する性能情報取得ステップと、
過去の録画処理に関する録画履歴情報を取得する録画履歴情報取得ステップと、
前記録画情報を記録する際の解像度、色深度、フレームレート、及びビットレートを決定する各パラメータを設定するパラメータ設定ステップと、
前記パラメータに基づいて前記録画情報を符号化する符号化ステップと、
前記符号化された情報を記録する記録ステップと、
を備え、
前記パラメータ設定ステップは、
前記コンテンツ情報と前記性能情報とを比較し、前記ディスプレイ装置の表示能力を超えないように前記パラメータを設定すると共に、
前記コンテンツ情報と前記録画履歴情報とを比較し、今回録画しようとする前記録画情報と同一の番組が過去に録画されている場合には、前記パラメータを当該過去の録画時と同様に設定する、
記録再生装置の制御方法。
【発明の詳細な説明】
【技術分野】
【０００１】
本発明は、記録再生装置に関し、特に記録される情報量を削減するための技術に関する。
【背景技術】
【０００２】
近年、デジタルＡＶシステムの普及により、記録容量の増加が進んでいる。特にＤＶＤ／ＢＤレコーダ等において、Ｈ．２６４等の高圧縮率な符号化方式が標準化され、記録媒体（ＤＶＤ、ＢＤ、内蔵ＨＤＤ等）の限られた容量をもつ記録媒体に対して、高画質且つ効率よく多くの番組を記録できる装置が提案されている。
【０００３】
特許文献１に開示される記録再生装置は、放送を受信した信号を復号し、自身に接続されたディスプレイ装置から表示能力を取得し、取得した表示能力情報（主に解像度）に応じて記録画質パラメータを決定し、決定したパラメータに応じて復号化した信号を符号化して記録するものである。
【０００４】
当該記録再生装置の特徴は、デジタル放送により受信した信号をＭＰＥＧ２エンコーダにてエンコードする際に、画質調整を行う点にある。この画質調整は、ディスプレイ装置からＨＤＭＩ(High Definition Multimedia Interface)等によって取得した表示能力情報に応じて行われる。例えば、デジタル放送にて受信した信号の解像度が「１９２０×１０８０」であり、ディスプレイ装置から取得した表示能力情報に含まれる解像度が「８００×６００」である場合には、ＭＰＥＧ２エンコーダは「８００×６００」の解像度にてエンコードを行う。これにより、受信した信号をそのままの解像度「１９２０×１０８０」で記録するより情報量を少なくすることができる。
【０００５】
また、記録再生装置からディスプレイ装置に出力される信号が既にその表示能力に適合した「８００×６００」となっているため、ディスプレイ装置側でのダウンコンバータによる処理等を不要にすることができる。
【先行技術文献】
【特許文献】
【０００６】
【特許文献１】特開２００９−１０８１１号公報
【発明の概要】
【発明が解決しようとする課題】
【０００７】
上記特許文献１に係る記録再生装置は、画質が破綻しないように再生ビットレートと解像度とフレームレートとを予め関連付けた画質パラメータテーブルを保持し、ディスプレイ装置から取得した解像度に応じたパラメータを用いてエンコードを行う。しかしながら、ディスプレイ装置の表示能力を示す情報には、解像度以外にも色数、応答速度、画面サイズ等があるが、特許文献１に係る記録再生装置においては、これら解像度以外の情報に応じたデータ圧縮が行われていない。従って、ディスプレイ装置の表示能力を超えた画質でエンコードが行われる可能性が依然高く、記憶する情報量を削減するための改善の余地がある。
【課題を解決するための手段】
【０００８】
本発明の第１の態様は、録画対象となる録画情報を受信する受信部と、前記録画情報の画質を決定する情報及び番組を特定する情報を含むコンテンツ情報を取得するコンテンツ情報取得部と、ディスプレイ装置の表示能力を示す性能情報を取得する性能情報取得部と、過去の録画処理に関する録画履歴情報を取得する録画履歴情報取得部と、前記録画情報を記録する際の解像度、色深度、フレームレート、及びビットレートを決定する各パラメータを設定するパラメータ設定部と、前記パラメータに基づいて前記録画情報を符号化する符号化部と、前記符号化された情報を記録する記録部とを備え、前記パラメータ設定部は、前記コンテンツ情報と前記性能情報とを比較し、前記ディスプレイ装置の表示能力を超えないように前記パラメータを設定すると共に、前記コンテンツ情報と前記録画履歴情報とを比較し、今回録画しようとする前記録画情報と同一の番組が過去に録画されている場合には、前記パラメータを当該過去の録画時と同様に設定する記録再生装置である。
【０００９】
また、本発明の第２の態様は、録画対象となる録画情報を受信する受信ステップと、前記録画情報の画質を決定する情報及び番組を特定する情報を含むコンテンツ情報を取得するコンテンツ情報取得ステップと、ディスプレイ装置の表示能力を示す性能情報を取得する性能情報取得ステップと、過去の録画処理に関する録画履歴情報を取得する録画履歴情報取得ステップと、前記録画情報を記録する際の解像度、色深度、フレームレート、及びビットレートを決定する各パラメータを設定するパラメータ設定ステップと、前記パラメータに基づいて前記録画情報を符号化する符号化ステップと、前記符号化された情報を記録する記録ステップとを備え、前記パラメータ設定ステップは、前記コンテンツ情報と前記性能情報とを比較し、前記ディスプレイ装置の表示能力を超えないように前記パラメータを設定すると共に、前記コンテンツ情報と前記録画履歴情報とを比較し、今回録画しようとする前記録画情報と同一の番組が過去に録画されている場合には、前記パラメータを当該過去の録画時と同様に設定する記録再生装置の制御方法である。
【００１０】
上記態様により、ディスプレイ装置の解像度、色深度、応答速度、及び画面サイズに応じて、録画情報の記録時に設定される解像度、色深度、フレームレート、及びビットレートがディスプレイ装置の表示能力に合致した値に設定される。また、過去に同一の番組を録画していた場合には、当該解像度、色深度、フレームレート、及びビットレートが当該過去と同様の値に設定される。
【発明の効果】
【００１１】
本発明によれば、ディスプレイ装置の表示能力を最大限に生かしつつ、記録される情報量を削減することが可能となる。
【図面の簡単な説明】
【００１２】
【図１】本発明の実施の形態１に係る記録再生装置の機能的な構成を示す図である。
【図２】実施の形態１に係る記録再生装置の具体的な構成を例示する図である。
【図３】実施の形態１に係る記録再生装置における全体的な動作を示すフローチャートである。
【図４】実施の形態１に係る記録再生装置における解像度最適化処理を示すフローチャートである。
【図５】実施の形態１に係る記録再生装置における色深度最適化処理を示すフローチャートである。
【図６】実施の形態１に係る記録再生装置におけるフレームレート最適化処理を示すフローチャートである。
【図７】実施の形態１に係る記録再生装置におけるビットレート最適化処理を示すフローチャートである。
【発明を実施するための形態】
【００１３】
実施の形態１
以下、図面を参照して本発明の実施の形態について説明する。図１は、実施の形態１に係る記録再生装置１の機能的な構成を示している。
【００１４】
記録再生装置１は、テレビ放送等の映像を含む録画情報を受信して記録し、記録した情報をディスプレイ装置２により再生可能なものである。記録再生装置１は、受信部１１、コンテンツ情報取得部１２、性能情報取得部１３、録画履歴情報取得部１４、パラメータ設定部１５、符号化部１６、及び記録部１７を有する。尚、本実施の形態においては、再生機能を実現する部分についての説明が省略されている。
【００１５】
受信部１１は、録画対象となる放送テレビ番組等の録画情報を受信するものである。受信部１１は、アンテナ、増幅器、周波数変換器、コンピュータ（制御プログラムを含む）等から構成することができる。
【００１６】
コンテンツ情報取得部１２は、受信部１１により受信された録画情報のコンテンツ情報を取得するものである。コンテンツ情報には、画質を決定する情報、番組を特定する情報等が含まれる。画質を決定する情報とは、解像度、色深度、フレームレート、ビットレート等である。コンテンツ情報取得部１２は、各種論理回路、コンピュータ等から構成することができる。
【００１７】
性能情報取得部１３は、記録再生装置１に接続するディスプレイ装置２の表示能力を示す性能情報を取得するものである。性能情報には、ディスプレイ装置２の解像度、色深度、応答速度、画像サイズ等が含まれる。性能情報取得部１３は、ＨＤＭＩ、各種論理回路、コンピュータ等から構成することができる。
【００１８】
録画履歴情報取得部１４は、記録再生装置１が過去に行った録画処理に関する録画履歴情報を取得するものである。録画履歴情報には、過去に録画した録画情報の番組名、番組のジャンル、録画時の設定情報等が含まれる。当該番組のジャンルとは、ニュース/報道、映画、スポーツ等である。当該設定情報には、解像度、色深度、フレームレート、ビットレート等が含まれる。録画履歴情報取得部１４は、不揮発性メモリ、コンピュータ等から構成することができる。
【００１９】
パラメータ設定部１５は、解像度決定部２１、色深度決定部２２、フレームレート決定部２３、及びビットレート決定部２４を有し、受信部１１により受信された録画情報を記録する際の解像度、色深度、フレームレート、及びビットレートを決定する各パラメータを設定するものである。パラメータ設定部１５は、上記コンテンツ情報と上記性能情報とを比較し、ディスプレイ装置２の表示能力を超えないように上記パラメータを設定する。また、パラメータ設定部１５は、上記コンテンツ情報と上記録画履歴情報とを比較し、今回録画しようとする録画情報と同一の番組が過去に録画されている場合には、上記パラメータを当該過去の録画時と同様に設定する。パラメータ設定部１５は、コンピュータ等から構成することができる。
【００２０】
符号化部１６は、パラメータ設定部１５により設定されたパラメータに基づいて、受信部１１により受信された録画情報を符号化するものである。符号化部１６は、各種論理回路、コンピュータ等から構成することができる。
【００２１】
記録部１７は、符号化部１６により符号化された情報を記録するものである。記録部１７は、不揮発性メモリ等から構成することができる。
【００２２】
上記構成により、ディスプレイ装置２の解像度、色深度、応答速度、及び画面サイズに応じて、録画情報の記録時に設定される解像度、色深度、フレームレート、及びビットレートが、ディスプレイ装置２の性能に合致した値となるように最適化される。これにより、ディスプレイ装置２の表示能力を最大限に生かしつつ、記録される情報量を削減することが可能となる。また、過去に同一の番組を録画していた場合には、当該過去の設定情報を参考にし、解像度、色深度、フレームレート、及びビットレートをこれと同様の値に設定することができる。
【００２３】
図２は、上記記録再生装置１の具体的な構成を例示している。記録再生装置１は、コンテンツ情報及び録画履歴情報を保持する番組情報取得保持部３１と、ディスプレイ装置２のＥＤＩＤ(Extended Display Identification Data)情報を解析し、解析したＥＤＩＤ情報を保持するＥＤＩＤ情報解析保持部３２と、デジタル放送信号を受信するチューナー部３３と、チューナー部３３が受信したデジタル放送信号をデコードするＭＰＥＧ復号化部３４と、ＥＤＩＤ情報解析保持部３２から解像度情報を取得し、解像度情報を保持する解像度情報取得部３５と、番組情報取得保持部３１が取得したコンテンツ情報及び解像度情報から解像度を決定する解像度最適化部３６と、解像度最適化部３６で決定した解像度及び番組情報取得保持部３１が取得した録画履歴情報から解像度を決定する解像度決定部３７と、ＥＤＩＤ情報解析保持部３２から色深度情報を取得し、色深度情報を保持する色深度情報取得部３８と、番組情報取得保持部３１が取得したコンテンツ情報及び色深度情報から、色深度を最適化する色深度最適化部３９と、色深度最適化部３９で最適化した色深度及び番組情報取得保持部３１で取得した過去の録画番組履歴を示す録画履歴情報から、色深度を決定する色深度決定部４０と、ＥＤＩＤ情報解析保持部３２から応答速度情報を取得し、応答速度情報を保持する応答速度情報取得部４１と、番組情報取得保持部３１が取得したコンテンツ情報及び応答速度情報からフレームレートを最適化するフレームレート最適化部４２と、フレームレート最適化部４２で決定したフレームレート及び番組情報取得保持部３１で取得した過去の録画番組履歴を示す録画履歴情報からフレームレートを決定するフレームレート決定部４３と、ＥＤＩＤ情報解析保持部３２から画面サイズ情報を取得し、画面サイズ情報を保持する画面サイズ情報取得部４４と、番組情報取得保持部３１で取得したコンテンツ情報及び画面サイズ情報からビットレートを最適化するビットレート最適化部４５と、ビットレート最適化部４５で最適化したビットレート及び番組情報取得保持部３１が取得した過去の録画番組履歴を示す録画履歴情報からビットレートを決定するビットレート決定部４６と、解像度決定部３７で決定した解像度、色深度決定部４０で決定した色深度、フレームレート決定部４３で決定したフレームレート、及びビットレート決定部４６で決定したビットレートから、記録する際の解像度、色深度、フレームレート、ビットレートを最終的に決定する決定情報生成部４７と、決定情報生成部４７で決定した解像度、色深度、フレームレート、ビットレートに従ってエンコードを実施するＭＰＥＧ符号化部４８と、ＭＰＥＧ符号化部４８でエンコードしたデータを記録する記録部４９とを有する。
【００２４】
チューナー部３３は、記録再生装置１の外部からの受信データを入力し、番組情報取得保持部３１及びＭＰＥＧ復号化部３４にそれぞれ出力する。
【００２５】
番組情報取得保持部３１は、チューナー部３３からの受信データを入力とし、コンテンツ情報を解像度最適化部３６に出力し、番組情報取得保持部３１に格納されている録画履歴情報を解像度決定部３７に出力する。
【００２６】
ＭＰＥＧ復号化部３４は、チューナー部３３からの受信データを入力とし、ＭＰＥＧ符号化部４８にデコードされた受信データを出力する。
【００２７】
ＥＤＩＤ情報解析保持部３２は、ディスプレイ装置２からＥＤＩＤ情報、応答速度情報、及び画面サイズ情報を入力し、解像度情報取得部３５、色深度情報取得部３８、応答速度情報取得部４１、及び画面サイズ情報取得部４４に、それぞれ解像度情報、色深度情報、応答速度情報、及び画面サイズ情報を出力する。
【００２８】
解像度情報取得部３５は、ＥＤＩＤ情報解析保持部３２から解像度情報を入力し、解像度最適化部３６に解像度情報を出力する。
【００２９】
解像度最適化部３６は、番組情報取得保持部３１よりコンテンツ情報を入力し、解像度情報取得部３５より解像度を入力し、コンテンツ情報及び解像度情報を比較判断し、解像度決定部３７にコンテンツ情報及び決定した解像度を出力する。
【００３０】
解像度決定部３７は、番組情報取得保持部３１より録画履歴情報を入力し、解像度最適化部３６よりコンテンツ情報及び決定した解像度を入力し、録画履歴情報、コンテンツ情報、及び決定した解像度を比較判断し、色深度最適化部３９にコンテンツ情報、録画履歴情報、及び決定した解像度を出力する。
【００３１】
色深度情報取得部３８は、ＥＤＩＤ情報解析保持部３２から色深度情報を入力し、色深度最適化部３９に色深度情報を出力する。
【００３２】
色深度最適化部３９は、解像度決定部３７よりコンテンツ情報、録画履歴情報、及び決定した解像度を入力し、色深度情報取得部３８より色深度情報を入力し、コンテンツ情報及び色深度情報を比較判断し、色深度決定部４０にコンテンツ情報、録画履歴情報、決定した解像度、及び最適化した色深度を出力する。
【００３３】
色深度決定部４０は、色深度最適化部３９よりコンテンツ情報、録画履歴情報、決定した解像度、及び最適化した色深度を入力し、録画履歴情報、コンテンツ情報、及び決定した色深度を比較判断し、フレームレート最適化部４２にコンテンツ情報、録画履歴情報、決定した解像度、及び決定した色深度を出力する。
【００３４】
応答速度情報取得部４１は、ＥＤＩＤ情報解析保持部３２から応答速度情報を入力し、フレームレート最適化部４２に応答速度情報を出力する。
【００３５】
フレームレート最適化部４２は、色深度決定部４０よりコンテンツ情報、録画履歴情報、決定した解像度、及び決定した色深度を入力し、応答速度情報取得部４１より応答速度情報を入力し、コンテンツ情報及び応答速度を比較判断し、フレームレート決定部４３にコンテンツ情報、録画履歴情報、決定した解像度、決定した色深度、及び最適化したフレームレートを出力する。
【００３６】
フレームレート決定部４３は、フレームレート最適化部４２よりコンテンツ情報、録画履歴情報、決定した解像度、決定した色深度、及び最適化したフレームレートを入力し、録画履歴情報、コンテンツ情報、及び決定したフレームレートを比較判断し、ビットレート最適化部４５にコンテンツ情報、録画履歴情報、決定した解像度、決定した色深度、及び決定したフレームレートを出力する。
【００３７】
画面サイズ情報取得部４４は、ＥＤＩＤ情報解析保持部３２から画像サイズ情報を入力し、ビットレート最適化部４５に画像サイズ情報を出力する。
【００３８】
ビットレート最適化部４５は、フレームレート決定部４３よりコンテンツ情報、録画履歴情報、決定した解像度、決定した色深度、及び決定したフレームレートを入力し、画面サイズ情報取得部４４より画面サイズ情報を入力し、録画履歴情報及び画面サイズ情報を比較判断し、ビットレート決定部４６にコンテンツ情報、録画履歴情報、決定した解像度、決定した色深度、決定したフレームレート、及び最適化したビットレートを出力する。
【００３９】
ビットレート決定部４６は、ビットレート最適化部４５よりコンテンツ情報、録画履歴情報、決定した解像度、決定した色深度、決定したフレームレート、及び最適化したビットレートを入力し、録画履歴情報、コンテンツ情報、及び決定したビットレートを比較判断し、決定情報生成部４７にコンテンツ情報、録画履歴情報、決定した解像度、決定した色深度、決定したフレームレート、及び決定したビットレートを出力する。
【００４０】
決定情報生成部４７は、ビットレート決定部４６よりコンテンツ情報、録画履歴情報、決定した解像度、決定した色深度、決定したフレームレート、及び決定したビットレートを入力し、ＭＰＥＧ符号化部４８に決定した解像度、決定した色深度、決定したフレームレート、及び決定したビットレートを出力する。
【００４１】
ＭＰＥＧ符号化部４８は、決定情報生成部４７より決定した解像度、決定した色深度、決定したフレームレート、決定したビットレートを入力し、ＭＰＥＧ復号化部３４より受信データを入力し、エンコードを行って符号化された情報を記録部４９に格納する。
【００４２】
図３は、上記記録再生装置１における全体的な動作を示している。先ず、ディスプレイ装置２を記録再生装置１にＨＤＭＩにより接続する（ステップＳ１０１）。
【００４３】
記録再生装置１は、ディスプレイ装置２のＥＤＩＤ情報、パネル応答速度情報、及び画面サイズ情報をＥＤＩＤ情報解析保持部３２により保持する（ステップＳ１０２）。ＥＤＩＤ情報解析保持部３２は、ＥＤＩＤ情報の解析を行って解像度情報及び色深度情報を抽出し保持する（ステップＳ１０３）。
【００４４】
番組情報取得保持部３１は、チューナー部３３からの受信データ（例えばＥＰＧ(Electronic Program Guide)等）にて、記録するコンテンツ情報（例えばジャンル情報）を取得する。（ステップＳ１０４）。
【００４５】
解像度決定部３７は、記録再生装置１において解像度情報を決定する（ステップＳ１０５）。色深度決定部４０は、記録再生装置１において色深度情報を決定する（ステップＳ１０６）。フレームレート決定部４３は、記録再生装置１において応答速度情報を決定する（ステップＳ１０７）。ビットレート決定部４６は、記録再生装置１において画面サイズ情報を決定する（ステップＳ１０８）。
【００４６】
決定情報生成部４７は、解像度決定部３７、色深度決定部４０、フレームレート決定部４３、及びビットレート決定部４６で決定した解像度、色深度、フレームレート、及びビットレートに従って、記録を行うデジタル放送についての解像度、色深度、フレームレート、及びビットレートを生成する（ステップＳ１０９）。
【００４７】
また、番組情報取得保持部３１は、録画した番組のコンテンツ情報、録画時の解像度・色深度・フレームレート・ビットレート等を録画履歴情報として保持する（ステップＳ１１０）。
【００４８】
ＭＰＥＧ符号化部４８は、上記決定した解像度、色深度、フレームレート、及びビットレートに従って、記録を行うデジタル放送についての解像度、色深度、フレームレート、及びビットレートの変更をし、ＭＰＥＧ符号化を行う（ステップＳ１１１）。ＭＰＥＧ符号化部４８は、生成したＭＰＥＧ符号を記録部４９に記録する（ステップＳ１１２）。
【００４９】
図４は、上記記録再生装置１における解像度最適化処理を示している。解像度最適化部３６は、番組情報取得保持部３１からのコンテンツ情報と解像度情報取得部３５からの解像度情報を比較し（ステップＳ２０１）、記録する番組の解像度がディスプレイ装置２の解像度より大きい場合（ＹＥＳ）はステップＳ２０２に進み、記録する番組の解像度がディスプレイ装置２の解像度と同じか小さい場合（ＮＯ）はステップＳ２０３に進む。
【００５０】
ステップＳ２０１で記録する番組の解像度がディスプレイ装置２の解像度より大きい場合（ＹＥＳ）は、記録する番組の解像度をディスプレイ装置２の解像度に変更して処理を終了する（ステップＳ２０２）。ステップＳ２０１で記録する番組の解像度がディスプレイ装置２の解像度と同じか小さい場合（ＮＯ）は、解像度の変更はせずに処理を終了する（Ｓ２０３）。
【００５１】
解像度決定部３７は、番組情報取得保持部３１が保持する録画履歴情報から過去に同じタイトルの番組を録画していたかを判断（ステップＳ２０４）し、録画していた場合（ＹＥＳ）はステップＳ２０５に進み、録画していない場合（ＮＯ）はステップＳ２０６に進む。
【００５２】
ステップＳ２０４で過去に同じタイトルの番組を録画していた場合（ＹＥＳ）は、録画履歴情報により保持されている番組録画時の解像度に変更して処理を終了する（ステップＳ２０５）。ステップＳ２０４で過去に同じタイトルの番組を録画していない場合（ＮＯ）は、解像度の変更をせずに処理を終了する（ステップＳ２０６）。
【００５３】
図５は、上記記録再生装置１における色深度最適化処理を示している。色深度最適化部３９は、上記コンテンツ情報から記録する番組のジャンルがニュース／報道であるかを判断（ステップＳ３０１）し、ニュース／報道の場合（ＹＥＳ）はステップＳ３０２に進み、ニュース／報道でない場合（ＮＯ）はステップＳ３０３に進む。
【００５４】
ステップＳ３０１でジャンルがニュース／報道である場合（ＹＥＳ）は、記録する番組の色深度を６ｂｉｔに変更し（Ｓ３０２）、ステップＳ４０５に進む。ステップＳ３０１でジャンルがニュース／報道でない場合（ＮＯ）は、色深度最適化部３９が、色深度情報取得部３８で取得した色深度情報と番組情報取得保持部３１で取得したコンテンツ情報の色深度情報とを比較する（ステップＳ３０３）。
【００５５】
ステップＳ３０３で記録する番組の色深度がディスプレイ装置２の色深度より大きい場合（ＹＥＳ）はステップＳ３０４に進み、記録する番組の色深度がディスプレイ装置２の色深度と同じか小さい場合（ＮＯ）はステップＳ３０５に進む。
【００５６】
ステップＳ３０３で記録する番組の色深度がディスプレイ装置２の色深度より大きい場合（ＹＥＳ）は、記録する番組の色深度をディスプレイ装置２の色深度に変更する（ステップＳ３０４）。ステップＳ３０３で記録する番組の色深度がディスプレイ装置２の色深度と同じか小さい場合（ＮＯ）は、色深度の変更はせずに処理を終了する（ステップＳ３０５）。
【００５７】
色深度最適化部３９は、色深度変更時に発生するオーバーシュート・アンダーシュート成分を、ローパスフィルタで除去して処理を終了する（ステップＳ３０６）。
【００５８】
色深度決定部４０は、番組情報取得保持部３１で録画履歴情報から過去に同じタイトルの番組を録画していたかを判断（ステップＳ３０７）し、録画していた場合（ＹＥＳ）はステップＳ３０８に進み、録画していなかった場合（ＮＯ）はステップＳ３０９に進む。
【００５９】
ステップＳ３０７で過去に同じタイトルの番組を録画していた場合（ＹＥＳ）は、録画履歴情報にて保持している番組録画時の色深度に変更して処理を終了する（ステップＳ３０８）。ステップＳ３０７で過去に同じタイトルの番組を録画していない場合（ＮＯ）は、色深度の変更をせずに処理を終了する（ステップＳ３０９）。
【００６０】
図６は、上記記録再生装置１におけるフレームレート最適化処理を示している。フレームレート最適化部４２は、コンテンツ情報より記録する番組のジャンルが映画かを判断し（ステップＳ４０１）、映画の場合（ＹＥＳ）はステップＳ４０２に進み、映画でない場合（ＮＯ）はステップＳ４０５に進む。
【００６１】
ステップＳ４０１で記録する番組ジャンルが映画の場合（ＹＥＳ）は、フレームレート最適化部４２が応答速度情報取得部４１から取得した応答速度情報と番組情報取得保持部３１から取得したコンテンツ情報とから両フレームレートを比較し、ディスプレイ装置２の応答速度が４１ｍｓより大きいか判断する（Ｓ４０２）。映画は毎秒２４フレーム、即ち１フレームあたり約４１ｍｓｅｃで撮影されているためである。
【００６２】
ステップＳ４０２でディスプレイ装置２の応答速度が４１ｍｓより大きい場合（ＹＥＳ）は、記録する番組のフレームレートをディスプレイ装置２の応答速度に変更して処理を終了する（ステップＳ４０３）。ステップＳ４０２でディスプレイ装置２の応答速度が４１ｍｓと同じか小さい場合（ＮＯ）は、記録する番組のフレームレートを毎秒２４フレームに変更して処理を終了する（ステップＳ４０４）。
【００６３】
ステップＳ４０１でジャンルが映画でない場合（ＮＯ）は、フレームレート最適化部４２が応答速度情報取得部４１から取得した応答速度情報と番組情報取得保持部３１から取得したコンテンツ情報とから両フレームレートを比較し、ディスプレイ装置２の応答速度が１／６０秒＝約１６ｍｓｅｃより大きいか判断する（Ｓ４０５）。
【００６４】
ステップＳ４０５でディスプレイ装置２の応答速度が１６ｍｓより大きい場合（ＹＥＳ）は、記録する番組のフレームレートをディスプレイ装置２の応答速度に変更して処理を終了する（ステップＳ４０６）。ステップＳ４０５でディスプレイ装置２の応答速度が１６ｍｓと同じか小さい場合（ＮＯ）は、フレームレートの変更をせずに処理を終了する（ステップＳ４０７）。
【００６５】
フレームレート決定部４３は、番組情報取得保持部３１が保持する録画履歴情報から過去に同じタイトルの番組を録画していたかを判断（ステップＳ４０８）し、過去に同じタイトルの番組を録画していた場合（ＹＥＳ）はステップＳ４０９に進み、過去に同じタイトルの番組を録画していない場合（ＮＯ）はステップＳ４１０に進む。
【００６６】
ステップＳ４０８で過去に同じタイトルの番組を録画していた場合（ＹＥＳ）は、録画履歴情報により保持されている番組録画時のフレームレートに変更して処理を終了する（ステップＳ４０９）。ステップＳ４０８で過去に同じタイトルの番組を録画していない場合（ＮＯ）は、フレームレートを変更せずに処理を終了する（Ｓ４１０）。
【００６７】
図７は、上記記録再生装置１におけるビットレート最適化処理を示している。ビットレート最適化部４５は、上記コンテンツ情報より記録する番組のジャンルがニュース／報道かを判断（ステップＳ５０１）し、ジャンルがニュース／報道である場合（ＹＥＳ）はステップＳ５０２に進み、映画でない場合（ＮＯ）はステップＳ５０５に進む。
【００６８】
ステップＳ５０１でジャンルがニュース／報道である場合（ＹＥＳ）は、ビットレート最適化部４５が応答速度情報取得部４１から取得した応答速度情報と番組情報取得保持部３１から取得したコンテンツ情報とから両ビットレートを比較し、ディスプレイ装置２の画面サイズが１０Ｖより小さいか判断する（Ｓ５０２）。
【００６９】
ステップＳ５０２でディスプレイ装置２の画面サイズが１０Ｖより小さい場合（ＹＥＳ）は、記録する番組のビットレートをワンセグと同等の１２８Ｋｂｐｓに変更して処理を終了する（ステップＳ５０３）。ステップＳ５０２でディスプレイ装置２の画面サイズが１０Ｖと同じか大きい場合（ＮＯ）は、記録する番組のビットレートをＤＶＤ／Ｖｉｄｅｏと同等の９．８Ｍｂｐｓに変更して処理を終了する（ステップＳ５０４）。
【００７０】
ステップＳ５０１で記録する番組ジャンルがニュース／報道でない場合（ＮＯ）は、ビットレート最適化部４５が応答速度情報取得部４１から取得した応答速度情報と番組情報取得保持部３１から取得したコンテンツ情報とから両ビットレートを比較し、ディスプレイ装置２の画面サイズが１０Ｖより小さいか判断する（Ｓ５０５）。
【００７１】
ステップＳ５０５でディスプレイ装置２の画面サイズが１０Ｖより小さい場合（ＹＥＳ）は、記録する番組のビットレートをワンセグと同等の１２８Ｋｂｐｓに変更して処理を終了する（ステップＳ５０６）。ステップＳ５０５でディスプレイ装置２の画面サイズが１０Ｖと同じか大きい場合（ＮＯ）は、ビットレートの変更をせずに処理を終了する（ステップＳ５０７）。
【００７２】
ビットレート決定部４６は、番組情報取得保持部３１が保持する録画履歴情報から過去に同じタイトルの番組を録画していたかを判断（ステップＳ５０８）し、過去に同じタイトルの番組を録画していた場合（ＹＥＳ）はステップＳ５０９に進み、過去に同じタイトルの番組を録画していない場合（ＮＯ）はステップＳ５１０に進む。
【００７３】
ステップＳ５０８で過去に同じタイトルの番組を録画していた場合（ＹＥＳ）は、録画履歴情報により保持されている番組録画時のビットレートに変更して処理を終了する（ステップＳ５０９）。ステップＳ５０８で過去に同じタイトルの番組を録画していない場合（ＮＯ）は、ビットレートの変更をせずに処理を終了する（Ｓ５１０）。
【００７４】
上記構成及び制御により、以下のような効果が得られる。図３のステップＳ１０５にて解像度情報を決定する際に、例えばディスプレイ装置２の解像度が１３６６×７６８であり、記録する番組の解像度が１９２０×１０８０である場合には、記録時の解像度が１３６６×７６８に変更される。このように、番組の解像度がディスプレイ装置２の表示能力を超えている場合には、録画時の解像度がディスプレイ装置２の表示能力に合わせて低下される。これにより、ディスプレイ装置２の表示能力を最大限に生かしつつ、解像度の差分（横方向１９２０→１３６６、縦方向１０８０→７６８）に相当する情報量を削減することができる。
【００７５】
図３のステップＳ１０６にて色深度情報を決定する際に、例えばディスプレイ装置２の色深度が６ｂｉｔであり、記録する番組が８ｂｉｔである場合には、記録時の色深度が６ｂｉｔに変更される。これにより、ディスプレイ装置２の表示能力を最大限に生かしつつ、１画素あたり２ｂｉｔの情報量を削減することができる。また、色深度変更時に発生するオーバーシュート・アンダーシュート成分は、ローパスフィルタにより除去される。
【００７６】
図３のステップＳ１０７にて応答速度情報を決定する際に、例えばディスプレイ装置２の応答速度が１／６０秒＝約１６ｍｓｅｃよりも大きい場合、毎秒６０フレーム（若しくは毎秒５９．９７フレーム）の放送では全てのフレームを表示することはできないため、記録時にフレームレートが１６ｍｓに変更される。これにより、不要なフレームデータを削減することができる。また、記録する番組のジャンルが映画である場合には、記録時にフレームレートが２４フレームに変更される。映画は毎秒２４フレーム（１フレームあたり約４１ｍｓｅｃ）で撮影されているが、デジタル放送で送信される際にフレームレートは毎秒６０フレーム（若しくは毎秒５９．９７フレーム）に変換されるためである。これにより、毎秒３６フレーム分の不要なデータを削減することができる。
【００７７】
図３のステップＳ１０８にて画面サイズ情報を決定する際に、ディスプレイ装置２の画面サイズ情報とコンテンツ情報とから、ビットレートの変更及び変更するビットレートの値が判断される。画面サイズが十分小さい（５Ｖ、７Ｖ、１０Ｖ等）場合には、ワンセグ放送を携帯電話で鑑賞する時と同様に、低ビットレートの映像でも違和感なく鑑賞することが可能である。また、記録する番組のジャンルがニュース／報道の場合、スポーツのように激しい動きに追従するような映像よりも、ニュース内容を説明する文章、テロップ等が多いため、比較的ビットレートが低い映像でも違和感なく鑑賞することが可能である。従って、記録時に画面サイズ又は番組のジャンルによってビットレートを低く設定することにより、記録時のデータを削減することができる。
【００７８】
以上のように、上記記録再生装置１によれば、ディスプレイ装置２の解像度、色深度、応答速度、及び画面サイズに応じて、記録時の解像度、色深度、フレームレート、及びビットレートが、ディスプレイ装置２の表示能力を最大限発揮できるように且つ記録される情報量が必要最小限となるように最適化される。また、過去に同一の番組を録画していた場合には、当該過去の設定情報を参考にし、解像度、色深度、フレームレート、及びビットレートをこれと同様の値に設定することができる。更に、番組のジャンル等の情報から記録時のフレームレート、ビットレートが最適化されるので、視聴者に違和感を生じさせることなく記録される情報量を削減することができる。
【００７９】
尚、本発明は上記実施の形態に限られるものではなく、趣旨を逸脱しない範囲で適宜変更することが可能なものである。
【符号の説明】
【００８０】
１  記録再生装置
２  ディスプレイ装置
１１  受信部
１２  コンテンツ情報取得部
１３  性能情報取得部
１４  録画履歴情報取得部
１５  パラメータ設定部
１６  符号化部
１７  記録部
２１  解像度決定部
２２  色深度決定部
２３  フレームレート決定部
２４  ビットレート決定部
【図１】
2013106055.tif 000003
【図２】
2013106055.tif 000004
【図３】
2013106055.tif 000005
【図４】
2013106055.tif 000006
【図５】
2013106055.tif 000007
【図６】
2013106055.tif 000008
【図７】
2013106055.tif 000009